(57)【要約】      （修正有）【課題】座ったままで安全に膝関節や股関節を定位置に戻すことを目的にした運動器具を提供する。【解決手段】負荷を与える事が出来る機構を有し、座位姿勢にて行うフレーム構造の運動器具であって、床面に設置される装置本体１と、装置本体に具備される椅子と、装置本体に具備されるとともに、揺動アーム軸支持体５ｂに支持される左右揺動自在の左右一対の揺動アームと、揺動アームに負荷を付与する負荷付与手段（重り３）とを備え、揺動アームには、運動者４が左右の下腿部外側部位に密着させるための内側ボード１１と、左右の大腿部内側部位に密着させるための左右一対の外側ボード１５が具備されている。【選択図】図５
0003229118.tif 000002
【実用新案登録請求の範囲】
【請求項１】
負荷を与える事が出来る機構を有し、座位姿勢にて行うフレーム構造の運動器具であって、床面に設置される装置本体と、前記装置本体に具備される椅子と、前記装置本体に具備される左右揺動自在の左右一対の揺動アームと、前記揺動アームに負荷を付与するための負荷付与手段とを備え、前記揺動アームには、運動者が左右の下腿部外側部位に密着させるための内側ボードと、左右の大腿部内側部位に密着させるための左右一対の外側ボードが具備されていることを特徴とする運動器具。
【請求項２】
請求項１記載の運動器具において、前記内側ボードと前記外側ボードは、前記揺動アームの中心軸に概平行に装備され、それぞれのボードには運動者の各部位への密着角度を自在に変えることができる角度調節手段を備えていることを特徴とする運動器具。
【考案の詳細な説明】
【技術分野】
【０００１】  本考案は、座ったままで安全に膝関節や股関節を定位置に戻すことを目的にした運動器具に関する。
【背景技術】
【０００２】  高齢化に伴い膝関節や股関節がねじれ易くなり、定位置からズレて膝痛や股関節痛が発症する傾向が強くなるため、歩行困難になっていくことが常態化している。【０００３】  このようなことから、外転筋群からお尻に掛けて筋肉群強化の運動器具が提案され実用に供されている。（特許文献１参照）
【先行技術文献】
【特許文献】
【０００４】
【特許文献１】特開２００７−８９６０１号公報
【考案の概要】
【考案が解決しようとする課題】
【０００５】  上述した運動器具においては、椅子に座り一対のアームの内側に両膝を掛けて開いたり、外側に両膝を掛けて閉じたりして、内転筋群や外転筋群からお尻に掛けての筋肉群のトレーニングをする方法である。【０００６】  ところが、内転筋群や外転筋群やお尻の筋肉群などのトレーニングをするだけでは膝や股関節のねじれ改善には直接的働きにはならず、直接ねじれ改善できる運動器具の実現が望まれていた。【０００７】  本考案の目的は、座った状態で安全に膝のねじれや股関節のズレが改善できる運動器具を提供することである。
【課題を解決するための手段】
【０００８】  本考案の請求項１に記載の運動器具では、負荷を与える事が出来る機構を有し、座位姿勢にて行うフレーム構造の運動器具であって、床面に設置される装置本体と、前記装置本体に具備される椅子と、前記装置本体に具備される左右揺動自在の左右一対の揺動アームと、前記揺動アームに負荷を付与するための負荷付与手段とを備え、前記揺動アームには、運動者が左右の下腿部外側部位に密着させるための左右一対の内側ボードと、左右の大腿部内側部位に密着させるための左右一対の外側ボードが具備されていることを特徴とする。【０００９】  また、本考案の請求項２に記載の運動器具では、前記内側ボードと前記外側ボードは、前記揺動アームの中心軸に概平行に装備され、それぞれのボードには運動者の各部位への密着角度を自在に変えることができる角度調節手段を備えていることを特徴とする。
【考案の効果】
【００１０】  本考案の請求項１に記載の運動器具を使用すれば、運動者の膝のねじれや股関節のズレを矯正することができる。【００１１】  また、本考案の請求項２に記載の運動器具を使用すれば、前記内側ボードと前記外側ボードは、それぞれのボードの角度を自在に変える事ができるため、膝下の脛骨の角度や大腿骨の角度にあわせることができることで、正確に膝のねじれや股関節のズレを矯正することができる。
【図面の簡単な説明】
【００１２】
【図１】本考案に係わる運動器具の膝や股関節の運動の実施形態を示す右側面図である。
【図２】図１の運動器具の正面図である。
【図３】図１の運動器具の平面図である。
【図４】図１の運動器具の右側揺動アーム軸と揺動アームの拡大斜視図である。
【図５】図１の運動器具を用いて装置本体に向かい、座って膝を開く運動姿勢を説明するための図である。
【図６】図１の運動器具を用いて装置本体に向かい、座って膝を閉じる運動姿勢を説明するための図である。
【考案を実施するための形態】
【００１３】  以下、図１〜図６に基づき、本考案の運動器具の実施形態について説明する。
【００１４】  図１〜図３において、図示の運動器具は、装置本体１に椅子２を具備し、装置本体１に上向きに左右一対の揺動アーム７を具備し、揺動アーム７に内側ボード１１と外側ボード１５を具備し、揺動アーム７に負荷を付与するための負荷付与手段を備えたフレーム構造となっている。
【００１５】  この実施形態では、揺動アーム７は重り（負荷付与手段）３によって負荷の増減が出来る。また装置本体１に具備された揺動アーム軸受６に揺動アーム軸５ａが具備され、揺動アーム軸５ａの上部には、先端部が重り（負荷付与手段）３に繋がるワイヤーに接続されている揺動アーム軸支持体５ｂが装着されていて、その揺動アーム軸５ａに揺動アーム７は挿入されて、高低自在に構成されている。揺動アーム７には、内側ボード１１と外側ボード１５が具備されていて、内側ボード１１は内側ボード軸受９に内側ボード軸８と内側ボード角度調整アーム（角度調節手段）１０が具備され、前記外側ボード１５は外側ボード軸受１３に外側ボード軸１２と外側ボード角度調整アーム（角度調節手段）１４が具備されていて、内側ボード１１と外側ボード１５の角度を自在に変えることができる構造となっている。なお、実施例としては、それぞれボードは平面としているが円筒面など曲面にしても良い。また角度調整手段としてアームを採用しているが、ネジを採用しても良い。
【実施例】
【００１６】  以下、添付図面に従って一実施例を説明する。上述した運動器具の装置本体１を用いて、座って膝のねじれを調整するには次の通りにすれば良い。主として、図５を参照して運動者４は、装置本体１の椅子２に装置本体１を前にして座る。次に左右の揺動アーム７の内側ボード１１を内側ボード角度調整アーム（角度調節手段）１０で調整して、運動者４の左右それぞれの下腿部外側部位に密着して下腿部を外側に開くことで、外側にねじれている膝を定位置の内側に戻すことができる。【００１７】  次に上述した運動器具の装置本体１を用いて、座って股関節のズレを調整するには次の通りにすれば良い。主として、図６を参照して、運動者４は、装置本体１の椅子２に装置本体１を前にして座る。次に左右の揺動アーム７の外側ボード１５を外側ボード角度調整アーム（角度調節手段）１４で調整して、運動者４の左右それぞれの大腿部内側部位に密着させて大腿部を内側に閉めることで、外側にズレている股関節を定位置の内側に戻すことができる。【００１８】  以上、本考案の運動器具の請求項１及び請求項２に記載の手段について個々の実施形態を説明したが、本考案はこれらの実施形態に限定されるものではなく、例えば負荷を付与する手段としてバネなどの使用や、また揺動アームの揺動アーム軸受を底部から上向きだけでなく前部から横向きや上部から下向きに具備するなどの複数の形態が、本考案の範囲を逸脱することなく変形乃至修正が可能である。
【符号の説明】
【００１９】１    装置本体
２    椅子
３    重り（負荷付与手段）
４    運動者
５ａ  揺動アーム軸
５ｂ  揺動アーム軸支持体
６    揺動アーム軸受
７    揺動アーム
８    内側ボード軸
９    内側ボード軸受
１０  内側ボード角度調節アーム（角度調節手段）
１１  内側ボード
１２  外側ボード軸
１３  外側ボード軸受
１４  外側ボード角度調節アーム（角度調節手段）
１５  外側ボード
【図１】
0003229118.tif 000003
【図２】
0003229118.tif 000004
【図３】
0003229118.tif 000005
【図４】
0003229118.tif 000006
【図５】
0003229118.tif 000007
【図６】
0003229118.tif 000008
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
負荷を与える事が出来る機構を有し、座位姿勢にて行うフレーム構造の運動器具であって、床面に設置される装置本体と、前記装置本体に具備される椅子と、前記装置本体に具備される左右揺動自在の左右一対の揺動アームと、前記揺動アームに負荷を付与するための負荷付与手段とを備え、前記揺動アームには、運動者が左右の下腿部外側部位に密着させるための内側ボードと、左右の大腿部内側部位に密着させるための左右一対の外側ボードが具備されていることを特徴とする運動器具。
【請求項２】
請求項１記載の運動器具において、前記内側ボードと前記外側ボードは、前記揺動アームの中心軸に概平行に装備され、それぞれのボードには運動者の左右の下腿部外側部位または大腿部内側部位の各部位への密着角度を自在に変えることができる角度調節手段を備えていることを特徴とする運動器具。
【請求項３】
請求項１または２記載の運動器具において、前記揺動アームは、前記装置本体に具備された揺動アーム軸受により左右揺動自在とした揺動アーム軸に上下調整自在に連結内挿され、前記揺動アームへの負荷付与手段は、前記揺動アーム軸の上部近傍に水平に取り付けられた揺動アーム軸支持体の先端部に重りに繋がるワイヤーを接続した構成とされていることを特徴とする運動器具。
【請求項４】
請求項２記載の運動器具において、前記内側ボードの前記角度調節手段は、内側ボードの側辺に内側ボード軸受と内側ボード軸を水平揺動自在に設け、前記内側ボードの他方の側辺には内側ボード角度調整アームを横架した構成とされ、また、前記外側ボードの前記角度調節手段は、前記外側ボードの側辺に外側ボード軸受と外側ボード軸を水平揺動自在に設け、前記外側ボードの他方の側辺には外側ボード角度調整アームを横架した構成とされていることを特徴とする運動器具。
【手続補正２】
【補正対象書類名】明細書
【補正対象項目名】０００９
【補正方法】変更
【補正の内容】
【０００９】  また、本考案の請求項２に記載の運動器具では、前記内側ボードと前記外側ボードは、前記揺動アームの中心軸に概平行に装備され、それぞれのボードには運動者の左右の下腿部外側部位または大腿部内側部位の各部位への密着角度を自在に変えることができる角度調節手段を備えていることを特徴とする。
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
負荷を与える事が出来る機構を有し、座位姿勢にて行うフレーム構造の運動器具であって、床面に設置される装置本体と、前記装置本体に具備される椅子と、前記装置本体に具備される左右揺動自在の左右一対の揺動アームと、前記揺動アームに負荷を付与するための負荷付与手段とを備え、前記揺動アームには、運動者が左右の下腿部外側部位に密着させるための内側ボードと、左右の大腿部内側部位に密着させるための左右一対の外側ボードが具備され、前記揺動アームは、前記装置本体に具備された揺動アーム軸受により左右揺動自在とした揺動アーム軸に上下調整自在に連結内挿され、前記揺動アームへの負荷付与手段は、前記揺動アーム軸の上部近傍に水平に取り付けられた揺動アーム軸支持体の先端部に重りに繋がるワイヤーを接続した構成とされていることを特徴とする運動器具。
【請求項２】
請求項１記載の運動器具において、前記内側ボードと前記外側ボードは、前記揺動アームの中心軸に概平行に装備され、それぞれのボードには運動者の左右の下腿部外側部位または大腿部内側部位の各部位への密着角度を自在に変えることができる角度調節手段を備え、前記内側ボードの前記角度調節手段は、内側ボードの側辺に内側ボード軸受と内側ボード軸を水平揺動自在に設けるとともに、前記内側ボードの他方の側辺には揺動アーム側にネジ用長穴付の内側ボード角度調整アームを水平自在に設けた構成とされ、また、前記外側ボードの前記角度調節手段は、前記外側ボードの側辺に外側ボード軸受と外側ボード軸を水平揺動自在に設けるとともに、前記外側ボードの他方の側辺には揺動アーム側にネジ用長穴付の外側ボード角度調整アームを水平自在に設けた構成とされ、前記内側ボード角度調整アームと前記外側ボード角度調整アームはそれぞれのボードの角度調整後に前記揺動アームにねじ留めされることを特徴とする運動器具。